(57)【要約】【課題】防音性能および歩行感がよく、かつ施工後に反りなどの形状変化が起こりにくい木質床材を提供する。【解決手段】木質床材１は、複数の木質板材層１２、１２、・・・よりなる積層板１０を基板として用いた床材である。基板（積層板１０）の裏面には少なくとも１方向に沿って、複数の溝部１３、１３、・・・が形成され、その裏面にはクッション材２１が貼着されており、積層板１０における溝部１３の底よりも上方の木質板材層１２として、インシュレーションボード１１が挿入されている。【選択図】図１
2016130396.tif 000002
【特許請求の範囲】
【請求項１】
複数の木質板材層よりなる積層板を基板として用いた木質床材において、
前記基板の裏面には少なくとも１方向に沿って、複数の溝部が形成され、該裏面にクッション材が貼着されており、
前記積層板における前記溝部の底よりも上方の前記木質板材層として、インシュレーションボードが挿入されていることを特徴とする木質床材。
【請求項２】
請求項１において、
前記積層板には、複数の前記インシュレーションボードが上下に隣り合わないように挿入されている、木質床材。
【請求項３】
請求項１または２において、
前記積層板は、前記インシュレーションボードを、合板を構成する複数の単板層の一部と入れ替えた構成となっている、木質床材。
【請求項４】
請求項１または２において、
前記積層板は、前記インシュレーションボードを、合板を構成する複数の単板層に付加した構成となっている、木質床材。
【発明の詳細な説明】
【技術分野】
【０００１】
本発明は、複数の木質板材層よりなる積層板を基板として用いた木質床材に関する。
【背景技術】
【０００２】
従来には、上記積層板として、単板を積層してなる合板が多く用いられている。また、このように合板を用いた木質床材には、基板の裏面に複数の溝部を設けて、防音（吸音）性能を高めるようにしたものも多く提案されている（たとえば、特許文献１参照）。この溝部は多いほど、深いほど防音性能は高いとされる。
【０００３】
また、基板の裏面に不織布、ウレタン発泡材などのクッション材を貼着したものも多く提案されている（たとえば、特許文献１参照）。このクッション材によっても、振動（音）が、内部の気泡や空洞部により吸収されることで、防音性能が高められるようになっている。
【先行技術文献】
【特許文献】
【０００４】
【特許文献１】特開平０１−３０４２６７号公報
【発明の概要】
【発明が解決しようとする課題】
【０００５】
しかしながら、木質床材に溝部が形成してあれば、その溝部の数が多いほど、溝部の深さが深いほど施工後に反りが発生しやすくなる。また、溝部による空間が歩行感に悪影響をおよぼすおそれもある。さらに、溝部を数多く加工しようとすれば、その間隔が小さくなるため、溝部を形成する際に損傷や欠落などの加工ミスが生じるおそれもある。
【０００６】
また、クッション材は、内部に気泡や空洞部を多く含んだものであれば高い吸音効果が期待できるが、そのようなものでは歩行感が悪化するおそれがある。
【０００７】
なお、従来では、気泡や空洞部の含有率の低い硬めの材料は吸音効果が低いものとしてクッション材にはあまり利用されておらず、一部の特定の材料が多く利用されていた。製造の自由度に幅を持たせるため、他の種々の材料をクッション材として使用したいとの要望もあった。
【０００８】
本発明は、このような問題を解決すべく提案されたもので、その目的は、防音性能および歩行感がよく、かつ施工後に反りなどの形状変化が起こりにくい木質床材を提供することにある。
【課題を解決するための手段】
【０００９】
上記目的を達成するために、本発明の木質床材は、複数の木質板材層よりなる積層板を基板として用いた木質床材において、基板の裏面には少なくとも１方向に沿って、複数の溝部が形成され、その裏面にはクッション材が貼着されており、積層板における溝部の底よりも上方の木質板材層として、インシュレーションボードが挿入されていることを特徴とする。
【発明の効果】
【００１０】
本発明の木質床材によれば、上述の構成となっているため、基板自体に吸音性能を持たせることができ、その結果、溝部の数を少なくでき、また溝部の深さを浅くできる。また、木質床材のクッション材として、吸音性能の低い硬めの材料を利用することもできる。
【００１１】
このように、溝部を少なくでき、浅くでき、硬めのクッション材を利用できるので、施工後に床材の反りの発生を防止することもできる。
【図面の簡単な説明】
【００１２】
【図１】（ａ）は本発明の一実施形態に係る木質床材の縦断面図、（ｂ）は他の実施形態に係る木質床材の縦断面図、（ｃ）は（ａ）（ｂ）で使用される積層板の基準の構成である合板の縦断面図である。
【図２】（ａ）は本発明のさらに他の実施形態に係る木質床材の縦断面図、（ｂ）は（ａ）で使用される積層板の形成手法の概略を示した縦断面図である。
【発明を実施するための形態】
【００１３】
以下に、本発明の木質床材に係る実施形態について、添付図面にもとづいて説明する。まず、以下の種々の実施形態に係る木質床材１、１、１の共通的な特徴点の概略について説明する。
【００１４】
本木質床材１、１、１は、複数の木質板材層１２、１２、・・・よりなる積層板１０を基板として用いた床材である。基板の裏面には少なくとも１方向に沿って、複数の溝部１３、１３、・・・が形成され、裏面にはクッション材２１が貼着されている。さらに、これらの木質床材１、１、１では、積層板１０における溝部１３の底よりも上方の木質板材層１２として、インシュレーションボード１１が挿入されている。
【００１５】
ついで、各種の木質床材１の詳細な形状、構成について説明する。
【００１６】
図１（ａ）（ｂ）に縦断面図を示した木質床材１、１は、２種の実施形態に係る木質床材１、１である。
【００１７】
これらの木質床材１、１は、基板として５層の木質板材層１２、１２、・・・よりなる積層板１０が用いられ、その基板の表面に突板や化粧シートなどの表面材２２が貼着され、基板の裏面にクッション材２１が貼着された床材である。この木質床材１の平面形状は、略長方形（たとえば、３１５ｍｍ×１８４０ｍｍ）である。また、木質床材１（積層板１０）の側端部の一方に雄実部１５が形成され、他方の側端部に雌実部１４が形成されている。
【００１８】
基板である積層板１０は、図１（ｃ）に示した５プライの合板３０を基準の構成とした積層材であり、この合板３０と類似の層構造を有している。図１（ａ）の木質床材１は、この合板３０の２層目の単板層３１に対して、インシュレーションボード１１を入れ替え挿入して形成したものである。図１（ｂ）の木質床材１は、合板３０の２層目、４層目のそれぞれの単板層３１、３１をインシュレーションボード１１、１１に入れ替え挿入して形成したものである。つまり、本実施形態に係る木質床材１、１は、インシュレーションボード１１以外の木質板材層１２、１２、・・・のそれぞれが単板よりなる。なお、図１（ｃ）には、本木質床材１に用いられる積層板１０に類似した構造の合板３０を参考図として示した。
【００１９】
また、合板３０は、繊維方向が上下の隣接木質板材層１２、１２間で相互に直交するように単板層３１、３１、・・・を接着剤で貼り合わせたものである。そうであるから、合板３０の層構造に類似した本積層板１０についても、インシュレーションボード１１以外の木質板材層１２、１２、・・・は、奇数層が同一の繊維方向となっている。また、図１（ａ）の木質床材１の４層目の木質板材層１２として配されている単板の繊維方向は奇数層の繊維方向に直交している。
【００２０】
インシュレーションボード１１は繊維板の一種であり、密度は０．３５ｇ／ｍｍ未満とされ、密度が０．３５ｇ／ｍｍ以上、０．８ｇ／ｍｍ未満であるＭＤＦよりも柔らかい材料である。また、本実施形態で用いるインシュレーションボード１１は、他の木質板材層１２（単板）よりも柔らかい。本木質床材１として好適に使用できるインシュレーションボード１１の密度は、０．２ｇ／ｍｍ以上、０．３５ｇ／ｍｍ未満である。
【００２１】
積層板１０は合板３０と同様の方法で生成されればよい。また、インシュレーションボード１１は他の木質板材層１２、１２、・・・を構成する単板と同程度の厚みであればよい。インシュレーションボード１１としては、床材として用いるため、床材として適切な全体厚みを考慮して、２．５ｍｍ〜３．０ｍｍ程度のものを用いることが望ましいが、これには限定されない。
【００２２】
図１（ａ）（ｂ）のいずれの木質床材１、１も、積層板１０の裏面には複数の溝部１３、１３、・・・が長手、短手の各方向に沿ってほぼ等間隔に形成されている。なお、溝部１３は長手、短手方向のいずれか一方のみに形成されていてもよいが、より高い防音性能を得るためには、少なくとも長手方向にほぼ等間隔に、短手方向に沿って延びる多数の溝部１３、１３、・・・が設けられていることが望ましい。
【００２３】
この溝部１３は、図１（ａ）のものでは、積層板１０の裏面から積層板１０の３層目の途中までの深さに鋸加工などにより形成され、図１（ｂ）のものでは、裏面層である５層目のみに形成されたものである。つまり、図１（ａ）（ｂ）のいずれの木質床材１、１においても、インシュレーションボード１１を用いた木質板材層１２には、溝部１３、１３、・・・の加工がなされていない。図１（ａ）（ｂ）に示すように、溝部１３の深さは両木質床材１、１間で異なる。
【００２４】
また、クッション材２１としては、図１（ａ）（ｂ）のいずれのものにも、ポリエチレン発泡体であるカルプ（登録商標、以下同様）が用いられている。カルプは硬めの材料なので歩行感をよりよくすることができる。なお、不織布やウレタン発泡体よりなる材料を用いてもよいが、これらを用いる場合も歩行感の安定化を考慮して硬めの材料を用いることが望ましい。
【００２５】
このように、本木質床材１、１には、積層板１０の一部の木質板材層１２として密度が小さいインシュレーションボード１１が用いてあるので、積層板１０自体が他の木質板材層１２、１２、・・・よりも高い吸音性能を発揮する。
【００２６】
そのため、本木質床材１、１では、合板３０を基板として用いた従来の同寸法の防音木質床材と同等かそれ以上の性能を得ようとした場合でも、その従来用いていた合板３０よりなる基板に比べて、溝部１３による吸音性能を低く設定することができる。つまり、本木質床材１、１では、溝部１３、１３、・・・の空洞部の全容量を少なくできる。たとえば、従来のものに比べて本数を少なくでき、深さを浅くできる。溝部１３、１３、・・・の空洞部の全容量の減少を、本数、深さのいずれか一方で対応してもよいし、両方で対応してもよい。
【００２７】
また、溝部１３、１３、・・・の数が少なければ当然に加工効率は向上し、加工によって取り除かれる木質材の無駄も減少する。また、溝部１３、１３、・・・の間隔が大きくなるため、鋸加工の際に溝部１３、１３間の部位などが欠損する危険性は低くなる。よって歩留まりも向上する。
【００２８】
図１（ｂ）の木質床材１は、図１（ａ）のものよりもインシュレーションボード１１が１枚多く挿入されている。そのため、積層板１０自体の吸音性能は図１（ｂ）のものがより高くなっており、そのため、図１（ｂ）に示すように、溝部１３は浅く形成されていてもよい。
【００２９】
インシュレーションボード１１は柔らかめの繊維板であるため、上述したように、加工の際の欠損防止の観点から、インシュレーションボード１１には溝部１３の加工がなされていない。また、インシュレーションボード１１を保護するために、中央のいずれかの層として挿入することが望ましい。
【００３０】
また、複数のインシュレーションボード１１を挿入する場合は、強度が低下することを考慮して、図１（ｂ）のように、両インシュレーションボード１１、１１が上下に隣り合わないようにすることが望ましい。積層板１０を合板３０と類似の層構造とするならば、インシュレーションボード１１は、図１（ａ）（ｂ）のように偶数層に配すればよい。なお、インシュレーションボード１１を奇数層（中央の３層目）に挿入した積層板１０を用いてもよい。
【００３１】
また、７プライの合板（不図示）に対応した積層板を用いてもよい。その場合でも、インシュレーションボードが複数配されている場合は、上下に隣り合わないものとすることが望ましい。７層であるため、２，４層、３，５層または２，４，６層にインシュレーションボードを配した積層板を用いることができる。もちろん、１つの木質板材層のみにインシュレーションボードを割り当ててもよい。
【００３２】
また、積層板１０がインシュレーションボード１１を含んでいるため、クッション材２１を本例のように硬め（吸音性能がやや低め）の材料とすることもできる。本木質床材１、１で用いたカルプは、従来ではクッション材２１として性能不足とされることがあったが、インシュレーションボード１１で吸音性能をカバーできるので、カルプなどの硬めの材料を利用することができる。
【００３３】
ついで、図２に示した木質床材１について説明する。
【００３４】
この木質床材１は、基板（積層板１０）の層構成が図１（ａ）（ｂ）のものとは異なる。この積層板１０は６層の木質板材層１２、１２、・・・よりなる。
【００３５】
基板である積層板１０は、図２（ｂ）に示すように、５プライの合板３０が基準の構成となっており、その１層目の単板層３１と２層目の単板層３１との間にインシュレーションボード１１が付加挿入された層構成となっている。つまり、インシュレーションボード１１以外の木質板材層１２、１２、・・・は単板層３１で構成されている。なお、図２（ｂ）は、本木質床材１の生成方法を、積層板１０に類似した構造の合板３０を基準の構成として示したイメージ図である。
【００３６】
また、積層板１０は図２（ｂ）に示した合板３０を基準としたものであるから、インシュレーションボード１１以外の木質板材層１２、１２、・・・の繊維方向は合板３０に準じる。つまり、１層目、４層目および６層目の木質板材層１２、１２、１２の繊維方向は同一であり、３層目および５層目の木質板材層１２、１２の繊維方向は１層目等の繊維方向に直交している。
【００３７】
インシュレーションボード１１については、図１（ａ）（ｂ）のものと同一のものが用いられている。
【００３８】
積層板１０は合板３０と同様の方法で生成されればよい。インシュレーションボード１１は、他の木質板材層１２、１２、・・・を構成する単板層３１と同程度の厚みであればよい。
【００３９】
また、積層板１０の裏面には、図１（ａ）（ｂ）のものと同様に、複数の溝部１３、１３、・・・が長手、短手の各方向に沿ってほぼ等間隔に形成されている。この溝部１３は、積層板１０の裏面から積層板１０の中央の３層目の木質板材層１２の途中までの深さに鋸加工などにより形成されたものである。
【００４０】
クッション材２１としては、図１（ａ）（ｂ）のものと同様に、カルプなどの硬めの材料が用いられている。
【００４１】
このように、本実施形態の木質床材１についても、インシュレーションボード１１を含んだ構成となっているため、溝部１３、１３、・・・の数を少なくでき、深さを浅くできる。したがって加工効率、歩留まりはともによい。
【００４２】
また、本木質床材１は、積層板１０の層数が図１（ａ）（ｂ）のものより多いので、インシュレーションボード１１の配設の態様が多様となる。積層板１０を種々の態様に製造できるから、種々の目的に合った床材を生成することができる。
【００４３】
なお、上述した例は、積層板１０が５プライ、７プライの合板３０に対応したものであるため、積層板１０の層数としては５〜８層のものを想定できるが、それ以外の層数の積層板を用いて木質床材を構成してもよい。
【００４４】
本発明者は、２枚のインシュレーションボード１１、１１を挿入した木質床材１（図１（ｂ）参照。図１（ｂ）のものと層構造、形状が類似したもの）について、評価試験（従来品との比較試験を含む）を行った。木質床材１の平面寸法、厚みおよびインシュレーションボード１１の材料、厚みは上述したとおりである。なお、クッション材２１としては、従来品で使用したものよりも硬めの不織布が用いてある。また、積層板１０の長手方向に並んだ溝部１３、１３、・・・の数は４８、溝部１３、１３、・・・の深さはすべて約４．３ｍｍである。
【００４５】
一方、従来品（図示省略）は、平面寸法、厚みが本木質床材１と同じである。また、基板としては合板３０（図１（ｃ）参照）が用いてある。基板の長手方向に並んだ溝部の数は７１、溝部の深さは約６．５ｍｍである。クッション材としては柔らかめの不織布が用いてある。
【００４６】
この評価試験に係る本木質床材１の溝部１３、１３、・・・の数、深さは、従来品の各数値と比較してもわかるように、ともに従来品の２／３程度である。
【００４７】
試験の結果、防音性能はΔＬＬ−４またはΔＬＬ−５を確保した。また、溝部１３の数、深さを変更したので、歩行感（沈み込み量）、反り上がり量のいずれについても、従来品の２／３〜１／２程度に改善することができた。
【符号の説明】
【００４８】
１          木質床材
１０        積層板（基板）
１１        インシュレーションボード
１２        木質板材層
１３        溝部
２１        クッション材
３０        合板
３１        単板層
【図１】
2016130396.tif 000003
【図２】
2016130396.tif 000004